(57)【特許請求の範囲】
【請求項１】
表紙体の内面側に綴じ具を配置し、これら表紙体と綴じ具に形成される貫通孔にリベットを貫通させることで前記綴じ具を固定可能とした綴じ具取付構造において、
前記貫通孔は、前記表紙体に形成された第１貫通孔と、前記綴じ具に形成された第２貫通孔とからなり、
前記第１貫通孔は、リベットの軸部直径に略対応する幅と、リベットのヘッド直径よりも小さい長さを備えた長孔に設けられている一方、前記第２貫通孔は、リベットの軸部直径と略同一の内径に設けられていることを特徴とする綴じ具取付構造。
【請求項２】
前記貫通孔は、表紙体の上下方向に沿って一対の関係となるように相対的に形成された少なくとも一組とされ、前記リベット軸部は、前記リベットと表紙体との相対位置ずれを禁止するように第１貫通孔の長手方向一端側に接することを特徴とする請求項１記載の綴じ具取付構造。
【請求項３】
前記貫通孔の組が表紙体の幅方向に沿って複数組設けられていることを特徴とする請求項２記載の綴じ具取付構造。
【請求項４】
表紙体と、当該表紙体の内面側に固定された綴じ具とを備え、前記表紙体と綴じ具とがリベットにより相互に固定されたファイルにおいて、
前記表紙体及び綴じ具に第１及び第２貫通孔を形成し、
前記第１貫通孔は、リベットの軸部直径に略対応する幅と、リベットのヘッド直径よりも小さい長さを備えた長孔に設けられている一方、前記第２貫通孔は、リベットの軸部直径と略同一の内径に設けられていることを特徴とするファイル。
【発明の詳細な説明】
【技術分野】
【０００１】
本発明は綴じ具取付構造及びファイルに係り、更に詳しくは、リベットを用いて綴じ具を表紙体に固定したファイル等において、工具を用いることなく、綴じ具と表紙体とを分別することができる綴じ具取付構造及びファイルに関する。
【背景技術】
【０００２】
表紙体の内面側に綴じ具を備えた公知のファイルは、表紙体と綴じ具とを分別できるようにする構成が一般的となっており、これにより、リサイクル或いは分別廃棄を図るという最近のニーズに対応可能となっている。
分別を可能とする構成としては、表紙体と綴じ具のベースとを挟み込んで着脱可能とした固定具によるファイルが市販されているが、このタイプのものは、綴じ具を固定するための部品点数が増加するため、コスト的な面では、リベットで綴じ具を固定するタイプのものよりは不利が伴うものとなる。
【０００３】
ところで、リベットを用いて綴じ具を固定する構成は、固定強度が高いため、表紙体と綴じ具との分別が困難となる。
そこで、特許文献１に開示されているように、リベットを用いて表紙体に綴じ具を固定したファイルにおいて、表紙体に形成されるリベット貫通孔の回りに複数の溝を設けることで表紙体と綴じ具とを分別できるようにした構成が提案されている。
【先行技術文献】
【特許文献】
【０００４】
【特許文献１】実用新案登録第３０６０７３７号公報
【発明の概要】
【発明が解決しようとする課題】
【０００５】
しかしながら、特許文献１に記載されたファイルにあっては、溝にマイナスドライバーの先端を挿入してこじることで綴じ具を表紙体から取り外すように設計されたものであり、分別に際して工具を用いることが必須となり、作業の簡便性がない、という不都合がある。
また、溝をリベットのヘッドで隠蔽している一方で、マイナスドライバーを溝に差し込む作業が必要となるため、その差し込み位置が作業者の勘に依存するものとなり、当該差し込み作業に際して、ドライバーの先端が表紙体上を不用意に滑ってしまったときに、表紙体を押さえ付けている手指を傷つけてしまう危険性を内在する、という不都合もある。
【０００６】
［発明の目的］
本発明は、このような不都合に着目して案出されたものであり、その目的は、リベットによって表紙体に綴じ具を固定する構成としても、工具を用いることなく、表紙体と綴じ具とを分別することができる綴じ具固定構造及びファイルを提供することにある。
また、本発明の他の目的は、工具を用いない分別を実現することで、作業上の前述した危険回避を期待することのできる綴じ具固定構造及びファイルを提供することにある。
【課題を解決するための手段】
【０００７】
前記目的を達成するため、本発明は、特許請求の範囲に記載した通りの構成を採用した。すなわち、本発明は、表紙体の内面側に綴じ具を配置し、これら表紙体と綴じ具に形成される貫通孔にリベットを貫通させることで前記綴じ具を固定可能とした綴じ具取付構造において、
前記貫通孔は、前記表紙体に形成された第１貫通孔と、前記綴じ具に形成された第２貫通孔とからなり、
前記第１貫通孔は、リベットの軸部直径に略対応する幅と、リベットのヘッド直径よりも小さい長さを備えた長孔に設けられている一方、前記第２貫通孔は、リベットの軸部直径と略同一の内径に設けられている、という構成を採っている。
【０００８】
本発明において、前記貫通孔は、表紙体の上下方向に沿って一対の関係となるように相対的に形成された少なくとも一組とされ、前記リベット軸部は、前記リベットと表紙体との相対位置ずれを禁止するように第１貫通孔の長手方向一端側に接する、という構成を採っている。
【０００９】
また、前記貫通孔の組が表紙体の幅方向に沿って複数組設けられる、という構成を採用することができる。
【００１０】
更に、本発明は、表紙体と、当該表紙体の内面側に固定された綴じ具とを備え、前記表紙体と綴じ具とがリベットにより相互に固定されたファイルにおいて、
前記表紙体及び綴じ具に第１及び第２貫通孔を形成し、
前記第１貫通孔は、リベットの軸部直径に略対応する幅と、リベットのヘッド直径よりも小さい長さを備えた長孔に設けられている一方、前記第２貫通孔は、リベットの軸部直径と略同一の内径に設けられている、という構成を採っている。
【発明の効果】
【００１１】
本発明によれば、第１貫通孔がリベットの軸部直径に略対応する幅と、リベットのヘッド直径よりも小さい長さとなる長孔であるため、当該長孔が外側から見えてしまうような不都合はない。表紙体と綴じ具との分別に際しては、表紙体側を、例えばねじ曲げるようにすることで、リベットのヘッドを第１貫通孔から脱出させることができ、これにより、表紙体と綴じ具との固定状態を解除して両者の分別が可能となる。
また、前記第２貫通孔がリベットの軸部直径に略一致する構成であるため、固定状態において、綴じ具を表紙体にしっかりと固定することができる。
【００１２】
更に、表紙体の上下方向に沿って一対の関係となるように相対的に形成された少なくとも一組の貫通孔とし、前記軸部がリベットと表紙体との相対位置ずれを禁止するように貫通孔内に位置する構成したから、ファイルを不注意で落下させたような場合において、表紙体と綴じ具との固定位置関係がずれてしまう不都合も回避することができる。
【００１３】
また、前記貫通孔の組を表紙体の幅方向に沿って複数組設けることで、幅広の綴じ具の固定構造にも適用可能となる。
【図面の簡単な説明】
【００１４】
【図１】実施形態に係るファイルを示す要部概略斜視図。
【図２】（Ａ）は前記ファイルを背表紙の外面側から見た要部概略平面図、（Ｂ）は図２（Ａ）のＡ部拡大図
【図３】（Ａ）は図１のＣ−Ｃ線断面図、（Ｂ）は図３（Ａ）のＢ部拡大図。
【図４】（Ａ）は前記実施形態における第１貫通孔とリベットとの位置関係を示す説明図、（Ｂ）は前記位置関係の他の例を示す説明図、（Ｃ）は、前記位置関係の更に他の例を示す説明図。
【発明を実施するための形態】
【００１５】
以下、本発明に係る綴じ具取付構造及び当該構造が適用されたファイルの実施形態について、図面を参照しながら説明する。
【００１６】
図１に示されるように、ファイル１０は、紙若しくは樹脂シート又はこれらの積層体からなる表紙体１１と、当該表紙体１１に取り付けられたステンレス等の金属製の綴じ具１２とを含む。表紙体１１は、例えば、ファイルバインダー協会が定義しているＺ式ファイルの表紙体と同程度の厚みを有し、人の手で表紙体をねじ曲げることができる程度の可撓性を備えたものを採用することが好ましい。この表紙体１１は、背表紙１５と、当該背表紙１５の短寸幅方向両側に連設されて対をなす表表紙１６及び裏表紙１７とからなり、綴じ具１２は、リベット２０を介して背表紙１５の長手方向中央部に固定されている。
【００１７】
前記綴じ具１２は公知の綴じ具が用いられる。従って、図示例では概略的に示されているが、概説すれば、背表紙１５の内面側に面接触するベース２２と、当該ベース２２の短寸幅方向両側に位置して上端側が回転可能に設けられた綴じ板２３と、これら綴じ板２３間に位置するとともに、軸方向に沿って相互に嵌合可能な軸及びパイプからなる綴じ桿２６とを含む。ベース２２は、平面視長方形状をなし、長手方向両側の各二箇所、合計４箇所がリベット２０によって背表紙１５に固定されている。
【００１８】
前記リベット２０は、図３（Ａ）に示されるように、背表紙１５に設けられた第１貫通孔３０と、ベース２２に設けられた第２貫通孔３１とを貫通する軸部３３と、当該軸部３３の一端側に設けられて背表紙１５の外面側に位置するヘッド３５とを含み、軸部３３の先端側は、ベース２２側の内面側でかしめ部３６を形成するように加工される。
【００１９】
前記第１貫通孔３０は、図２（Ｂ）及び図３に示されるように、リベット２０の軸部３３の直径に略対応する幅Ｗと、リベット２０のヘッド３５直径Ｄよりも小さい長さＬを備えた長孔に設けられている。この一方、第２貫通孔３１は、リベット２０の軸部３３直径と略同一の内径に設けられている。第１貫通孔３０は、中心に対して対称をなす平面形状に設けられている。
【００２０】
前記第１貫通孔３０は、特に限定されるものではないが、本実施形態では、前記幅Ｗが４．２ｍｍ、長さＬが５．５ｍｍに設定されており、軸部３３の直径が、４．０ｍｍ、ヘッド３５の直径Ｄが７．６ｍｍが例示できる。
【００２１】
図２及び図３に示されるように、第１貫通孔３０は、背表紙１５の上下方向、すなわち長手方向に沿って一対の関係となるように相対的に形成された一組が、背表紙１５の左右方向、すなわち短寸幅方向に２列設けられている。第２貫通孔３１は、第１貫通孔３０の形成位置にそれぞれ対応するようになっている。ここで、第２貫通孔３１の内径は、特に限定されるものではないが、第１貫通孔３０の幅Ｗ、すなわち、４．２ｍｍとすることが好ましい。
【００２２】
前記リベット２０は、図４（Ａ）に示されるように、背表紙１５に綴じ具１２を固定したときに、第１貫通孔３０内の長手方向外側内周縁に接するように位置し、当該第１貫通孔３０と軸部３３との間に生ずる隙間Ｓが内方に現れる状態で第２貫通孔３１を貫通するように設けられている。従って、背表紙１５に対して面方向に沿う力が付与されることがあっても、リベット２０と背表紙１５との相対位置ずれが禁止できるようになっている。
【００２３】
以上の構成において、リベット２０によって表紙体１１に綴じ具１２が取り付けられた状態からこれらを分別するときは、背表紙１５の平面形状を変形させるように力を付与し、ヘッド３５が第１貫通孔３０を強制的に潜り抜けるようにすればよい。
【００２４】
従って、本実施形態によれば、工具を用いることなく、表紙体１１と綴じ具１２とを分別することが可能となり、工具を用いた場合の危険性も回避することが期待できる。
【００２５】
以上のように、本発明を実施するための最良の構成、方法等は、前記記載で開示されているが、本発明は、これに限定されるものではない。
すなわち、本発明は、主に特定の実施例に関して特に図示し、且つ、説明されているが、本発明の技術的思想及び目的の範囲から逸脱することなく、以上説明した実施例に対し、形状、材質、数量、位置若しくは配置等に関して当業者が様々な変更を加えることができるものである。
従って、既に開示した形状等の限定をした記載は、本発明の理解を容易にするために例示的に示したものであり、本発明を限定するものではないから、それらの形状等の限定を一部若しくは全部の限定を外した部材の名称での記載は、本発明に含まれるものである。
【００２６】
例えば、前記実施形態では、リベット２０が第１貫通孔３０内の長手方向外側に位置し、前記隙間Ｓが第１貫通孔３０の内方に表れる状態を示したが、図４（Ｂ）に示されるように、リベット２０が第１貫通孔２０の内側に位置し、隙間Ｓが外方に位置するようにしてもよい。
また、図４（Ｃ）に示されるように、第１貫通孔３０の長手方向が背表紙１５の幅方向に沿うように設けることもでき、更に、第１貫通孔３０の長手方向が図示例に対して傾斜した向きとすることもできる。要するに、本発明は、背表紙１５に対して面方向に沿う力が付与されることがあっても、リベット２０と背表紙１５との相対位置ずれが禁止できる構成であれば足りる。
【００２７】
更に、第１及び第２貫通孔３０、３１を各４個設けたが、その数は限定されるものではなく、綴じ具１２のベース２２が幅狭のものであれば各２個とし、表紙体１１の長手方向に沿う一組としてもよい。
また、第１貫通孔３０は、単軸と長軸を有する楕円状の長孔としてもよい。
更に、第１貫通孔３０における前記空間Ｓの形成縁となる部分に、切り込みを形成してもよく、これにより、分別作業に際して、第１貫通孔３０からヘッド３５の潜り抜けを容易化することもできる。
【符号の説明】
【００２８】
１０  ファイル
１１  表紙体
１２  綴じ具
２０  リベット
３０  第１貫通孔
３１  第２貫通孔
３３  軸部
３５ヘッド
【図１】
0005499326.tif 000002
【図２】
0005499326.tif 000003
【図３】
0005499326.tif 000004
【図４】
0005499326.tif 000005